(57)【要約】【課題】ハードディスクドライブのスピンドルモータ組立体およびハードディスクドライブを提供すること。【解決手段】中心部に形成された中心ホール、前記中心ホールの周りに設けられたクランピングゾーン、および前記クランピングゾーンの外側に設けられたデータゾーンを有するデータ保存用のディスクと、シャフト、前記シャフトの外周に結合されたハブ、および外径が前記ハブの外径より小さく前記ハブの上面から所定の高さを有し、上面が前記ディスクのクランピングゾーンに接触して前記ディスクを支持する支持部を備え、前記ディスクを装着して回転させるスピンドルモータと、前記ディスクの中心ホールに挿入されて前記スピンドルモータに螺合されることによって、前記ディスクのクランピングゾーンを加圧して前記ディスクを前記支持部に固定させるクランピングスクリューとを備えることを特徴とする。【選択図】図４
2007026647.tif 000002
【特許請求の範囲】
【請求項１】
中心部に形成された中心ホール、前記中心ホールの周りに設けられたクランピングゾーン、および前記クランピングゾーンの外側に設けられたデータゾーンを有するデータ保存用のディスクと；
シャフト、前記シャフトの外周に結合されたハブ、および外径が前記ハブの外径より小さく前記ハブの上面から所定の高さを有し、上面が前記ディスクのクランピングゾーンに接触して前記ディスクを支持する支持部を備え、前記ディスクを装着して回転させるスピンドルモータと；
前記ディスクの中心ホールに挿入されて前記スピンドルモータに螺合されることによって、前記ディスクのクランピングゾーンを加圧して前記ディスクを前記支持部に固定させるクランピングスクリューと；
を備えることを特徴とする、ハードディスクドライブのスピンドルモータ組立体。
【請求項２】
前記支持部は、前記シャフトの上端部が前記ハブの上面から所定高さ突出して形成されることを特徴とする、請求項１に記載のハードディスクドライブのスピンドルモータ組立体。
【請求項３】
前記支持部の上面に前記クランピングスクリューが螺合されるスクリュー螺合ホールが形成されたことを特徴とする、請求項２に記載のハードディスクドライブのスピンドルモータ組立体。
【請求項４】
前記支持部は前記シャフトを取り囲むリング状の形状を有し、前記ハブの上面から所定高さ突設されたことを特徴とする、請求項１に記載のハードディスクドライブのスピンドルモータ組立体。
【請求項５】
前記シャフトの上面に前記クランピングスクリューが螺合されるスクリュー螺合ホールが形成されたことを特徴とする、請求項４に記載のハードディスクドライブのスピンドルモータ組立体。
【請求項６】
前記ディスクのクランピングゾーンの外径は、前記支持部の外径と実質的に同一であることを特徴とする、請求項１に記載のハードディスクドライブのスピンドルモータ組立体。
【請求項７】
前記クランピングスクリューの頭部の外径は、前記支持部の外径と実質的に同一であることを特徴とする、請求項１に記載のハードディスクドライブのスピンドルモータ組立体。
【請求項８】
前記ディスクのクランピングゾーンの表面粗さは、前記データゾーンの表面粗さより大きいことを特徴とする、請求項１に記載のハードディスクドライブのスピンドルモータ組立体。
【請求項９】
前記ディスクのクランピングゾーンには、複数の微細な突起が形成されたことを特徴とする、請求項８に記載のハードディスクドライブのスピンドルモータ組立体。
【請求項１０】
前記複数の微細な突起は、レーザー加工によって噴火口形状に形成されたことを特徴とする、請求項９に記載のハードディスクドライブのスピンドルモータ組立体。
【請求項１１】
前記ディスクの底面と前記ハブの上面との間に形成された空間を通じて、前記クランピングゾーンに隣接した前記データゾーンに読み取り／書き込みヘッドがアクセスすることを特徴とする、請求項１に記載のハードディスクドライブのスピンドルモータ組立体。
【請求項１２】
前記ディスクは、前記クランピングゾーンと前記データゾーンとの間に読み取り／書き込みヘッドがパーキングされるパーキングゾーンをさらに有することを特徴とする、請求項１に記載のハードディスクドライブのスピンドルモータ組立体。
【請求項１３】
前記パーキングゾーンの外径は、前記ハブの外径と等しいかまたは小さいことを特徴とする、請求項１２に記載のハードディスクドライブのスピンドルモータ組立体。
【請求項１４】
ベース部材と；
前記ベース部材上に設けられ、前記ベース部材に対して回転するシャフトを備えるスピンドルモータと；
前記シャフトの上端部に配置され、中心ホールを有するディスクと；
前記中心ホールを通じて前記ディスクを前記シャフトの上端部に結合させる螺合部材と；
を備えることを特徴とする、ハードディスクドライブのスピンドルモータ組立体。
【請求項１５】
前記シャフトと共に回転するように前記シャフトの外周に結合され、上面と前記ディスクの底面との間に空間を形成するハブをさらに備え、
前記空間を通じて前記空間に隣接する前記ディスクの底面に読み取り／書き込みヘッドがアクセスすることを特徴とする、請求項１４に記載のハードディスクドライブのスピンドルモータ組立体。
【請求項１６】
前記ハブは、前記シャフトの周りに沿って突出して、前記ディスクに接触する支持部を備えることを特徴とする、請求項１５に記載のハードディスクドライブのスピンドルモータ組立体。
【請求項１７】
前記螺合部材は、前記シャフトの上端部に設けられたスクリュー螺合ホールに螺合されることによって、前記ディスクのクランピングゾーンを前記シャフトの上端部に固定させるクランピングスクリューを備えることを特徴とする、請求項１４に記載のハードディスクドライブのスピンドルモータ組立体。
【請求項１８】
前記螺合部材の外径は、前記シャフトの上端部の外径と実質的に同一であることを特徴とする、請求項１４に記載のハードディスクドライブのスピンドルモータ組立体。
【請求項１９】
前記螺合部材と前記ディスクの接触部分には、所定の表面粗さを付与するために複数の突起が設けられたことを特徴とする、請求項１４に記載のハードディスクドライブのスピンドルモータ組立体。
【請求項２０】
支持部と；
前記支持部に螺合されるクランピングスクリューと；
前記支持部上に配置され、前記クランピングスクリューに対応する所定サイズの中心ホールを有し、前記クランピングスクリューによって前記支持部に固定されるディスクと；
を備えることを特徴とする、ハードディスクドライブのスピンドルモータ組立体。
【請求項２１】
前記ディスクは、前記中心ホールの周りに設けられ前記クランピングスクリューの頭部と接触するクランピングゾーンと、前記クランピングゾーンの外周に設けられたデータゾーンとを備えることを特徴とする、請求項２０に記載のハードディスクドライブのスピンドルモータ組立体。
【請求項２２】
前記ディスクは、前記クランピングゾーンと前記データゾーンとの間に、読み取り／書き込みヘッドがパーキングされるパーキングゾーンをさらに備えることを特徴とする、請求項２１に記載のハードディスクドライブのスピンドルモータ組立体。
【請求項２３】
ベース部材及びカバー部材を有するハウジングと；
前記ベース部材から延びて前記ベース部材に対して回転するシャフトを備えるスピンドルモータと；
前記シャフトの上端部に配置され、中心ホールを有するディスクと；
前記中心ホールを通じて前記ディスクを前記シャフトの上端部に結合させる螺合部材と；
を備えることを特徴とする、ハードディスクドライブ。
【請求項２４】
前記ディスクの表面に対するデータの再生及び記録のための読み取り／書き込みヘッドと；
前記読み取り／書き込みヘッドを前記ディスク上の所望の位置に移動させるためのアクチュエータと；
をさらに備え、
前記ディスクは、前記シャフトの上端部と前記螺合部材との接触面に形成されるクランピングゾーンと、前記クランピングゾーンと隣接する外周部に前記読み取り／書き込みヘッドがパーキングされるパーキングゾーンとを含むことを特徴とする、請求項２３に記載のハードディスクドライブ。
【請求項２５】
前記シャフトと共に回転するように前記シャフトの外周に結合されたハブをさらに備え、
前記シャフトは、前記ハブの上面から所定高さ突出して、前記ハブの上面と前記ディスクの底面との間に前記読み取り／書き込みヘッドが動作可能な空間を形成することを特徴とする、請求項２４に記載のハードディスクドライブ。
【発明の詳細な説明】
【技術分野】
【０００１】
本発明は、ハードディスクドライブのスピンドルモータ組立体およびハードディスクドライブに関する。
【背景技術】
【０００２】
コンピュータの情報保存装置の一つであるハードディスクドライブ(ＨＤＤ：Ｈａｒｄ  Ｄｉｓｋ  Ｄｒｉｖｅ)は、読み取り／書き込みヘッドを使用してディスクに保存されたデータを再生／記録する装置である。このようなＨＤＤにおいて、データ保存用のディスクは、スピンドルモータに装着されて回転し、読み取り／書き込みヘッドは、回転するディスクの記録面から所定高さ浮上した状態でアクチュエータによって所望の位置に移動しながらデータを再生／記録する。
【０００３】
図１は、従来のＨＤＤのスピンドルモータ組立体の分離斜視図であり、図２は、図１に示された従来のスピンドルモータ組立体の断面図である。
【０００４】
図１及び図２を共に参照すると、従来のスピンドルモータ組立体は、データ保存用のディスク２０と、該ディスク２０を回転させるためのスピンドルモータ３０と、スペーサ４０と、ディスククランプ５０と、クランピングスクリュー６０とを備えている。
【０００５】
前記スピンドルモータ３０は、ＨＤＤのベース部材１０上に設置され、シャフト３２と、シャフト３２の外周に設置された固定子３６及び回転子３４を備える。前記回転子３４は、ハブとも呼ばれ、該ハブ３４の外周に前記ディスク２０が装着される。そして、スピンドルモータ３０の上部には、前記ディスク２０をスピンドルモータ３０に堅く固定するための円盤状のディスククランプ５０が設置される。そして、前記ディスク２０とディスククランプ５０との間には、リング状のスペーサ４０が配置され、このスペーサ４０もスピンドルモータ３０のハブ３４の外周に組み込まれる。
【０００６】
前記ディスク２０の中心部には、スピンドルモータ３０のハブ３４が挿入される中心ホール２１が形成されており、この中心ホール２１の周りには、前記スペーサ４０またはディスククランプ５０が加圧接触するクランピングゾーン２２が設けられている。そして、前記ディスク２０のクランピングゾーン５０外側の領域は、データが記録されるデータゾーン２４である。
【０００７】
前記ディスククランプ５０は、クランピングスクリュー６０によってスピンドルモータに固定されうる。この場合、前記ディスククランプ５０の中心部には、クランピングスクリュー６０が挿入されるスクリュー挿入ホール５３が形成されており、スピンドルモータ３０のシャフト３２の上端部には、クランピングスクリュー６０が螺合されるスクリュー螺合ホール３３が形成されている。前記クランピングスクリュー６０をスクリュー螺合ホール５３に螺合すれば、クランピングスクリュー６０によってディスククランプ５０が弾性変形されながら、スペーサ４０とディスク２０とを加圧するので、ディスク２０は、スピンドルモータ３０のハブ３４に堅く固定されるのである。前記のディスククランプ５０の固定方式は、シャフト３２がハブ３４と共に回転する形態のスピンドルモータ３０に適用されうる。
【０００８】
一方、前記ディスククランプ５０は、他の方法によってスピンドルモータ３０に固定されうる。すなわち、前記ディスククランプ５０は、スピンドルモータ３０のハブ３４に螺合される複数のスクリュー(図示せず)によってスピンドルモータ５０に固定されうる。この場合、前記ハブ３４の上面には、複数のスクリューが螺合される複数のスクリュー螺合ホール３５が形成され、前記ディスククランプ５０には、複数のスクリューが挿入される複数のスクリュー挿入ホール５５が形成される。かかるディスククランプ５０の固定方式は、スピンドルモータ３０のシャフト３２がベース部材１０に固定されており、ハブ３４のみ回転する形態のスピンドルモータ３０に適用されうる。
【０００９】
ところが、前記のような構造を有する従来のスピンドルモータ組立体は、比較的に多くの部品を使用するので、組立が複雑であり、比較的に製造コストが上昇するという短所を有する。
【００１０】
そして、従来のスピンドルモータ組立体は、スペーサ、ディスククランプ、及び一つまたは複数のスクリューを組み立てる過程で、該スペーサ、ディスククランプ、及び一つまたは複数のスクリューがディスクの表面に接触する可能性が大きく、ディスクの表面を損傷させる場合がしばしば発生する。
【００１１】
また、ガラス材質のディスクと金属材質のスペーサまたは金属材質のディスククランプが互いに接触しており、これらが互いに異なる熱膨張係数を有するので、温度の変化による膨脹量に偏差が発生する。これにより、部品間に摩擦が発生してパーティクルが発生するという短所がある。
【００１２】
また、従来のスピンドルモータ組立体においては、ディスクの中心部に比較的に広いクランピングゾーンが設けられねばならないため、それだけディスクのデータゾーンの面積が狭くなるという短所がある。
【発明の開示】
【発明が解決しようとする課題】
【００１３】
そこで、本発明は、上記問題に鑑みてなされたものであり、本発明の目的とするところは、ディスククランプを使用せずにディスクをスピンドルモータに固定でき、ディスクのデータ記録面積を広くすることが可能な、新規かつ改良されたハードディスクドライブのスピンドルモータ組立体およびハードディスクドライブを提供することにある。
【課題を解決するための手段】
【００１４】
上記課題を解決するために、本発明のある観点によれば、中心部に形成された中心ホール、中心ホールの周りに設けられたクランピングゾーン、およびクランピングゾーンの外側に設けられたデータゾーンを有するデータ保存用のディスクと、シャフト、シャフトの外周に結合されたハブ、および外径がハブの外径より小さくハブの上面から所定の高さを有し、上面がディスクのクランピングゾーンに接触してディスクを支持する支持部を備え、ディスクを装着して回転させるスピンドルモータと、ディスクの中心ホールに挿入されてスピンドルモータに螺合されることによって、ディスクのクランピングゾーンを加圧してディスクを支持部に固定させるクランピングスクリューとを備えることを特徴とする、ハードディスクドライブのスピンドルモータ組立体が提供される。
【００１５】
支持部は、シャフトの上端部がハブの上面から所定高さ突出して形成されるようにしてもよい。
【００１６】
支持部の上面にクランピングスクリューが螺合されるスクリュー螺合ホールが形成されようにしてもよい。
【００１７】
支持部はシャフトを取り囲むリング状の形状に形成され、ハブの上面から所定高さ突設されようにしてもよい。
【００１８】
シャフトの上面にクランピングスクリューが螺合されるスクリュー螺合ホールが形成されようにしてもよい。
【００１９】
ディスクのクランピングゾーンの外径は、支持部の外径と実質的に同一にしてもよい。
【００２０】
クランピングスクリューの頭部の外径は、支持部の外径と実質的に同一にしてもよい。
【００２１】
ディスクのクランピングゾーンの表面粗さは、データゾーンの表面粗さより大くしてもよい。
【００２２】
ディスクのクランピングゾーンには、複数の微細な突起が形成されるようにしてもよい。
【００２３】
複数の微細な突起は、レーザー加工によって噴火口形状に形成されるようにしてもよい。
【００２４】
ディスクの底面とハブの上面との間に形成された空間を通じて、クランピングゾーンに隣接したデータゾーンに読み取り／書き込みヘッドがアクセスするようにしてもよい。
【００２５】
ディスクは、クランピングゾーンとデータゾーンとの間に読み取り／書き込みヘッドがパーキングされるパーキングゾーンをさらに有するようにしてもよい。
【００２６】
パーキングゾーンの外径は、ハブの外径と等しいかまたは小さくてもよい。
【００２７】
また、上記課題を解決するために、本発明の別の観点によれば、ベース部材と、ベース部材上に設けられ、ベース部材に対して回転するシャフトを備えるスピンドルモータと、シャフトの上端部に配置され、中心ホールを有するディスクと、中心ホールを通じてディスクをシャフトの上端部に結合させる螺合部材とを備えることを特徴とする、ハードディスクドライブのスピンドルモータ組立体が提供される。
【００２８】
シャフトと共に回転するようにシャフトの外周に結合され、上面とディスクの底面との間に空間を形成するハブをさらに備え、空間を通じて空間に隣接するディスクの底面に読み取り／書き込みヘッドがアクセスするようにしてもよい。
【００２９】
ハブは、シャフトの周りに沿って突出して、ディスクに接触する支持部を備えるようにしてもよい。
【００３０】
螺合部材は、シャフトの上端部に設けられたスクリュー螺合ホールに螺合されることによって、ディスクのクランピングゾーンをシャフトの上端部に固定させるクランピングスクリューを備えるようにしてもよい。
【００３１】
螺合部材の外径は、シャフトの上端部の外径と実質的に同一にしてもよい。
【００３２】
螺合部材とディスクの接触部分には、所定の表面粗さを付与するために複数の突起が設けてもよい。
【００３３】
また、上記課題を解決するために、本発明の別の観点によれば、支持部と、支持部に螺合されるクランピングスクリューと、支持部上に配置され、クランピングスクリューに対応する所定サイズの中心ホールを有し、クランピングスクリューによって支持部に固定されるディスクとを備えることを特徴とする、ハードディスクドライブのスピンドルモータ組立体が提供される。
【００３４】
ディスクは、中心ホールの周りに設けられクランピングスクリューの頭部と接触するクランピングゾーンと、クランピングゾーンの外周に設けられたデータゾーンとを備えるようにしてもよい。
【００３５】
ディスクは、クランピングゾーンとデータゾーンとの間に、読み取り／書き込みヘッドがパーキングされるパーキングゾーンをさらに備えるようにしてもよい。
【００３６】
また、上記課題を解決するために、本発明の別の観点によれば、ベース部材及びカバー部材を有するハウジングと、ベース部材から延びてベース部材に対して回転するシャフトを備えるスピンドルモータと、シャフトの上端部に配置され、中心ホールを有するディスクと、中心ホールを通じてディスクをシャフトの上端部に結合させる螺合部材とを備えることを特徴とする、ハードディスクドライブが提供される。
【００３７】
ディスクの表面に対するデータの再生及び記録のための読み取り／書き込みヘッドと、読み取り／書き込みヘッドをディスク上の所望の位置に移動させるためのアクチュエータとをさらに備え、ディスクは、シャフトの上端部と螺合部材との接触面に形成されるクランピングゾーンと、クランピングゾーンと隣接する外周部に読み取り／書き込みヘッドがパーキングされるパーキングゾーンとを含むようにしてもよい。
【００３８】
シャフトと共に回転するようにシャフトの外周に結合されたハブをさらに備え、
シャフトは、ハブの上面から所定高さ突出して、ハブの上面とディスクの底面との間に読み取り／書き込みヘッドが動作可能な空間を形成するようにしてもよい。
【発明の効果】
【００３９】
以上説明したように本発明によれば、ディスククランプを使用せずにディスクをスピンドルモータに固定でき、ディスクのデータ記録面積を広くすることができる。
【発明を実施するための最良の形態】
【００４０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００４１】
（第一の実施形態）
まず、本発明の第一の実施形態にかかるスピンドルモータ組立体について説明する。
【００４２】
図３は、本実施形態によるスピンドルモータ組立体を備えたＨＤＤを示した分離斜視図であり、図４は、図３に示された本発明の望ましい実施形態によるスピンドルモータ組立体の断面図であり、図５は、図３に示されたデータ保存用のディスクのクランピングゾーンの拡大斜視図である。
【００４３】
まず、図３及び図４を共に参照すると、ＨＤＤのベース部材１１１上には、データ保存のための記録媒体であるディスク１２０を回転させるためのスピンドルモータ１３０と、データの再生及び記録のための読み取り／書き込みヘッドをディスク１２０上の所望の位置に移動させるためのアクチュエータ１４０とが設置される。
【００４４】
前記アクチュエータ１４０は、ベース部材１１１上に設置されたアクチュエータピボット１４１に回転自在に結合されたスイングアーム１４２と、前記スイングアーム１４２の一側端部に設置されて、前記ヘッドが搭載されたスライダーをディスク１２０の表面側に付勢させるように支持するサスペンション１４３と、前記スイングアーム１４２を回転させるためのボイスコイルモータ(ＶＣＭ：Ｖｏｉｃｅ  Ｃｏｉｌ  Ｍｏｔｅｒ)１４５とを有する。
【００４５】
前記ボイスコイルモータ１４５は、サーボ制御システムによって制御され、ＶＣＭコイルに入力される電流と、マグネットにより形成された磁場との相互作用によって、フレミングの左手の法則による方向にスイングアーム１４２を回転させる。すなわち、ＨＤＤの電源がオンになってディスク１２０が回転し始めれば、ボイスコイルモータ１４５は、スイングアーム１４２を逆時計周り方向に回転させて、前記ヘッドをディスク１２０のデータ記録面上に移動させる。
【００４６】
一方、ＨＤＤの電源がオフになってディスク１２０の回転が停止すれば、ボイスコイルモータ１４５は、スイングアーム１４２を時計周り方向に回転させて、前記ヘッドがディスク１２０の記録面から逸脱させる。この時、ディスク１２０の記録面を逸脱したヘッドは、ディスク１２０の外側に設けられたランプ１４６にパーキングあるいは退避される。
【００４７】
そして、前記ベース部材１１１の上部には、カバー部材１１２が複数の螺合スクリュー１１９を使用して結合される。このように互いに結合されたベース部材１１１とカバー部材１１２とは、ディスク１２０、スピンドルモータ１３０、及びアクチュエータ１４０などを取り囲んで保護するハウジングとしての役割を担う。
【００４８】
本実施形態によるスピンドルモータ組立体は、前記ディスク１２０と、前記ディスク１２０を回転させるためのスピンドルモータ１３０と、前記ディスク１２０をスピンドルモータ１３０に堅く固定させるためのクランピングスクリュー１６０とを備える。
【００４９】
前記スピンドルモータ１３０は、シャフト１３２と、このシャフト１３２の外周に設置された固定子１３６及び回転子１３４とを有している。前記回転子１３４は、ハブとも呼ばれ、前記シャフト１３２と共に回転する。
【００５０】
本実施形態の特徴部として、前記スピンドルモータ１３０の上端部には、前記ディスク１２０を支持する支持部１３５が設けられる。具体的に、前記支持部１３５は、外径が前記ハブ１３４の外径より小さく、前記ハブ１３４の上面から所定の高さ突出して形成される。このような支持部１３５の上面にディスク１２０の底面が接触した状態で前記クランピングスクリュー１６０によって、前記ディスク１２０が前記支持部１３５に堅く固定される。
【００５１】
本実施形態において、前記支持部１３５は、前記シャフト１３２の上端部が前記ハブ１３４から突出して形成されうる。すなわち、前記シャフト１３２の上端部が前記ハブ１３４の上面から所定高さ突出して延び、その延びた部分が前記支持部１３５としての役割を担う。前記支持部１３５の上面には、前記クランピングスクリュー１６０が螺合されるスクリュー螺合ホール１３３が所定深さに形成される。
【００５２】
そして、前記ディスク１２０は、その中心部上に貫通形成された中心ホール１２１と、前記中心ホール１２１の周りに設けられたクランピングゾーン１２２と、前記クランピングゾーン１２２の外側に設けられたデータゾーン１２４とを有する。
【００５３】
前記ディスク１２０の中心ホール１２１には、前記クランピングスクリュー１６０が挿入される。前記ディスク１２０のクランピングゾーン１２２は、前記支持部１３５と前記クランピングスクリュー１６０の頭部とに接触する領域である。前記ディスク１２０のクランピングゾーン１２２の外径は、前記支持部１３５の外径と実質的に同一であってもよい。
【００５４】
そして、前記クランピングスクリュー１６０の頭部の外径も前記支持部１３５の外径と実質的に同一であってもよい。なお、前記クランピングスクリュー１６０の頭部とは、前記クランピングスクリュー１６０と前記ディスク１２０との接触面であると捉えることができる。前記ディスク１２０のクランピングゾーン１２２は、前記支持部１３５とクランピングスクリュー１６０の頭部との間に組み込まれ、これによって、前記ディスク１２０は、前記クランピングスクリュー１６０によって前記スピンドルモータ１３０の支持部１３５に堅く固定される。
【００５５】
さらに説明すれば、前記クランピングスクリュー１６０を前記ディスク１２０の中心ホール１２１に挿入し、前記支持部１３５のスクリュー螺合ホール１３３に螺合すれば、前記クランピングスクリュー１６０が前記ディスク１２０のクランピングゾーン１２２を加圧し、これによって、前記ディスク１２０は、前記スピンドルモータ１３０の支持部１３５に堅く固定される。
【００５６】
前記のように、本実施形態によるスピンドルモータ組立体においては、従来のディスククランプ及びスペーサを使用しなくても、ディスク１２０をスピンドルモータ１３０に固定させうる。そして、前記ディスク１２０自体にクランピングゾーン１２２が設けられ、このクランピングゾーン１２２は、ディスク１２０の製作工程中に形成されうる。
【００５７】
したがって、本実施形態によるスピンドルモータ組立体は、従来に比べて単純な構成を有し、その製造及び組立工程も簡単になり、組立工程で発生しうる部品間の接触によるディスク１２０表面損傷の可能性も減少する。また、金属からなる部品間の摩擦によってパーティクルが発生する従来の問題点も解消できる。
【００５８】
そして、本実施形態においては、前記ディスク１２０のクランピングゾーン１２２の外径が従来に比べて著しく減少し、これによって、クランピングゾーン１２２の外側に設けられるデータゾーン１２４の面積が広くなるので、ディスク１２０のデータ保存容量が増加する。さらに説明すれば、本実施形態において、前記ディスク１２０の底面とスピンドルモータ１３０のハブ１３４上面との間に空間が形成されるので、この空間を通じて前記ディスク１２０の底面の前記ハブ１３４の上面に対向する領域にも読み取り／書き込みヘッドのアクセスが可能になって、この領域にもデータの記録が可能となる。
【００５９】
一方、前記ディスク１２０のクランピングゾーン１２２の外側領域の一部は、読み取り／書き込みヘッドがパーキングされるパーキングゾーンとして利用されうる。該パーキングゾーンついては後述する。
【００６０】
前記ディスク１２０のクランピングゾーン１２２は、前記スクリュー１６０の頭部及び支持部１３５に接触する領域である。したがって、前記スピンドルモータ１３０の支持部１３５が回転する時に、ディスク１２０がスリップされる現象を防止するために、前記ディスク１２０のクランピングゾーン１２２の表面粗さは他の領域、すなわち、データゾーン１２４の表面粗さより大きくしてもよい。
【００６１】
このために、図５に示すように、前記ディスク１２０のクランピングゾーン１２２には、複数の微細な突起１２２ａが形成されうる。このような複数の微細な突起１２２ａは、多様な方法によって形成されうる。例えば、前記複数の微細な突起１２２ａは、レーザー加工によって噴火口形状に形成されうる。
【００６２】
前記のように、ディスク１２０のクランピングゾーン１２２に形成された複数の微細な突起１２２ａによって、クランピングゾーン１２２、支持部１３５、及びクランピングスクリュー１６０の頭部の間の摩擦力が増加する。これによって、前記ディスク１２０は、スピンドルモータ１３０によって堅く固定され、ＨＤＤに外部から衝撃が加えられてもディスク１２０がスリップされる問題点が発生しないという長所がある。
【００６３】
（第二の実施形態）
次に、本発明の第二の実施形態にかかるスピンドルモータ組立体について説明する。
【００６４】
図６は、本実施形態によるスピンドルモータ組立体の断面図である。図６を参照すると、本実施形態において、前記スピンドルモータ１３０の上端部には、前記ディスク１２０を支持する支持部２３５が設けられ、前記支持部２３５は、前記ハブ１３４の上面から前記シャフト１３２の周りを取り囲むリング状に所定高さ突設される。このような支持部２３５は、前記ハブ１３４と一体形成されうる。そして、前記支持部２３５は、外径が前記ハブ１３４の外径より小さく、該支持部２３５の上面にディスク１２０のクランピングゾーン１２２が接触する。このような状態で、前記シャフト１３２の上面に所定深さに形成されたスクリュー螺合ホール１３３に螺合されるクランピングスクリュー１６０によって、前記ディスク１２０は、前記支持部２３５に堅く固定される。
【００６５】
前記の構成を有するスピンドルモータ組立体も前述した一実施形態によるスピンドルモータ組立体と実質的に同一な作用及び効果を有するので、その説明は省略する。
【００６６】
一方、前記ディスク１２０において、前記クランピングゾーン１２２の外側には、読み取り／書き込みヘッドがパーキングされるパーキングゾーン１２３がさらに設けられ、前記データゾーン１２４は、前記パーキングゾーン１２３の外側に設けられうる。すなわち、前記パーキングゾーン１２３は、前記クランピングゾーン１２２と前記データゾーン１２４との間に設けられる。前記パーキングゾーン１２３は、前記ハブ１３４の上面と対向する領域の全体または一部分に設けられうる。すなわち、前記パーキングゾーン１２３の外径は、前記ハブ１３４の外径と等しいかこれより小さくてもよい。
【００６７】
図３には、ＨＤＤの作動停止時に、読み取り／書き込みヘッドをパーキングさせるためのランプ１４６がディスク１２０の外側に設置されていると示されている。しかし、前記のランプ１４６の代りにＨＤＤの作動停止時に、読み取り／書き込みヘッドを前記ディスク１２０のパーキングゾーン１２３に接触させてパーキングさせてもよい。
【００６８】
図３に示されたように、ランプ１４６に読み取り／書き込みヘッドをパーキングさせる場合には、読み取り／書き込みヘッドのロード及びアンロードのために必要な幅だけディスク１２０の最外側の縁部にはデータを保存できない。しかし、前記のように、ランプ１４６の代りにディスク１２０のクランピングゾーン１２２の外側にパーキングゾーン１２３を設ければ、ディスク１２０の縁部にもデータを記録することができるので、従来に比べてデータ保存容量が増加できる。
【００６９】
また、読み取り／書き込みヘッドがディスク１２０の中心に近いパーキングゾーン１２３にパーキングされていれば、ＨＤＤに外部衝撃が加えられてディスク１２０が振動する場合、ディスク１２０中心に近い部分の振幅が相対的に小さいので、読み取り／書き込みヘッドとディスク１２０とが衝突して読み取り／書き込みヘッドが損傷されることを減らすことができるという長所がある。
【００７０】
一方、前記ランプ１４６は、ＨＤＤの正常な作動停止時に、読み取り／書き込みヘッドをパーキングさせる用途として使用し、前記パーキングゾーン１２３は、ＨＤＤが非常停止する時、読み取り／書き込みヘッドをパーキングさせるための用途として使用しても良い。非常停止時には、可能なかぎり速く読み取り／書き込みヘッドをパーキングさせねばならないため、読み取り／書き込みヘッドからさらに近いパーキングゾーン１２３に読み取り／書き込みヘッドをパーキングさせることが有利である。
【００７１】
以上説明したように、本発明の第一および第二の実施形態によるスピンドルモータ組立体においては、従来のディスククランプ及びスペーサを使用しなくても、ディスクをスピンドルモータに固定させることができる。したがって、本実施形態によるスピンドルモータ組立体は、従来に比べて単純な構成を有し、その製造及び組立工程も簡単になり、組立工程で発生しうる部品間の接触によるディスクの表面が損傷される可能性も減少する。また、金属からなる部品間の摩擦によってパーティクルが発生する従来の問題点も解消できる。
【００７２】
また、本実施形態においては、前記ディスクのクランピングゾーンの外径が従来に比べて著しく減少し、これによって、データゾーンの面積が広くなるので、ディスクのデータ保存容量が増加できる。
【００７３】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００７４】
本発明は、ディスククランプを使用しなくても、ディスクをスピンドルモータに固定でき、ディスクのデータ記録面積を広くすることができる構造を有するＨＤＤのスピンドルモータ組立体に適用可能である。
【図面の簡単な説明】
【００７５】
【図１】従来のＨＤＤのスピンドルモータ組立体を示した分離斜視図である。
【図２】図１に示された従来のスピンドルモータ組立体を示した断面図である。
【図３】本発明の第一の実施形態によるスピンドルモータ組立体を備えたＨＤＤを示した分離斜視図である。
【図４】同実施形態によるスピンドルモータ組立体の断面図である。
【図５】同実施形態によるデータ保存用のディスクのクランピングゾーンを拡大して示した斜視図である。
【図６】本発明の第二の実施形態によるスピンドルモータ組立体の断面図
【符号の説明】
【００７６】
１１１  ベース部材
１１２  カバー部材
１１９  螺合スクリュー
１２０  ディスク
１２１  中心ホール
１２２  クランピングゾーン
１２２ａ  突起
１２３  パーキングゾーン
１２４  データゾーン
１３０  スピンドルモータ
１３２  シャフト
１３３  スクリュー螺合ホール
１３４  ハブ
１３５、２３５  支持部 
１３６  固定子
１４０  アクチュエータ 
１４１  アクチュエータピボット
１４２  スイングアーム
１４３  サスペンション
１４５  ボイスコイルモータ
１４６  ランプ
１６０  クランピングスクリュー
【図１】
2007026647.tif 000003
【図２】
2007026647.tif 000004
【図３】
2007026647.tif 000005
【図４】
2007026647.tif 000006
【図５】
2007026647.tif 000007
【図６】
2007026647.tif 000008